(57)【要約】【課題】ＴＳデータの正確な再生を可能とするデータ処理装置を実現する。【解決手段】本発明のデータ処理装置１は、ＴＳデータの編集処理を行うものである。ＴＳデータは、映像データおよび音声データを含むＴＳパケットと、このＴＳパケットを識別するＰＡＴパケットおよびＰＭＴパケットとから構成されている。データ処理装置１は、ＰＡＴパケットおよびＰＭＴパケットに対応するＴＳパケットが再生されるよりも先に当該ＰＡＴパケットおよびＰＭＴパケットが読み出されるようにＴＳデータの編集処理を行う編集処理部９を備えている。【選択図】図１
2007116213.tif 000002
【特許請求の範囲】
【請求項１】
番組情報の編集処理を行う情報処理装置であって、
上記番組情報は、映像情報および音声情報と、該映像情報および音声情報を識別する識別情報とを含んでおり、
上記識別情報に対応付けられた映像情報および音声情報が再生されるよりも先に当該識別情報が読み出されるように編集処理を行う編集処理手段を備えていることを特徴とする情報処理装置。
【請求項２】
上記編集処理が複数の番組情報の結合処理を含む場合に、
上記編集処理手段は、上記番組情報の結合部分に識別情報を配置することを特徴とする請求項１に記載の情報処理装置。
【請求項３】
上記編集処理手段は、映像情報および音声情報に対応付けられた識別情報を検索する検索手段を備えていることを特徴とする請求項１または２に記載の情報処理装置。
【請求項４】
上記編集処理手段は、識別情報を、対応する映像情報および音声情報よりも先に再生される位置に配置する配置手段を備えていることを特徴とする請求項１ないし３のいずれか１項に記載の情報処理装置。
【請求項５】
番組情報の再生処理を行う情報処理装置であって、
上記番組情報は、映像情報および音声情報と、該映像情報および音声情報を識別する識別情報とを含んでおり、
上記識別情報に対応付けられた映像情報および音声情報が再生されるよりも先に当該識別情報が読み出されるように再生処理を行う再生処理手段を備えていることを特徴とする情報処理装置。
【請求項６】
上記番組情報を一時的に記録するバッファを備えており、
上記再生処理手段は、番組情報をバッファに記録する際に再生処理を行うことを特徴とする請求項５に記載の情報処理装置。
【請求項７】
上記再生処理手段は、バッファに記録された番組情報の先頭部分に識別情報を配置することを特徴とする請求項５または６に記載の情報処理装置。
【請求項８】
上記再生処理手段は、映像情報および音声情報に対応付けられた識別情報を検索する検索手段を備えていることを特徴とする請求項５ないし７のいずれか１項に記載の情報処理装置。
【請求項９】
上記再生処理手段は、識別情報を、対応する映像情報および音声情報よりも先に再生される位置に配置する配置手段を備えていることを特徴とする請求項５ないし８のいずれか１項に記載の情報処理装置。
【請求項１０】
番組情報の編集処理を行う情報処理方法であって、
上記番組情報は、映像情報および音声情報と、該映像情報および音声情報を識別する識別情報とを含んでおり、
上記識別情報に対応付けられた映像情報および音声情報が再生されるよりも先に当該識別情報が読み出されるように編集処理を行うことを特徴とする情報処理方法。
【請求項１１】
番組情報の再生処理を行う情報処理方法であって、
上記番組情報は、映像情報および音声情報と、該映像情報および音声情報を識別する識別情報とを含んでおり、
上記識別情報に対応付けられた映像情報および音声情報が再生されるよりも先に当該識別情報が読み出されるように再生処理を行うことを特徴とする情報処理方法。
【請求項１２】
請求項１〜９のいずれか１項に記載の情報処理装置を動作させる情報処理プログラムであって、コンピュータを上記の各手段として機能させるための情報処理プログラム。
【請求項１３】
請求項１２に記載の情報処理プログラムを記録したコンピュータ読み取り可能な記録媒体。
【発明の詳細な説明】
【技術分野】
【０００１】
本発明は、番組放送等の情報を処理する情報処理装置、情報処理方法、プログラムおよび記録媒体に関するものである。より詳しくは、ＴＳデータの編集および再生といった処理を実行する情報処理装置、情報処理方法、プログラムおよび記録媒体に関するものである。
【背景技術】
【０００２】
近年のテレビ放送は、テレビ局にてアナログ放送からデジタル放送への転換が行われ、高画質なデジタル放送が放送されるようになっている。このようなデジタル放送では、番組の多重編成等を実現するために、番組データの伝送にはＭＰＥＧ２−ＴＳ（Transport stream）形式によるＴＳデータが用いられている。映像データや音声データ等の各々の情報は、１８８バイトの固定長となるＴＳパケットに変換され、ＴＳデータは、このＴＳパケットに基づいて作成される。
【０００３】
全てのＴＳパケットのヘッダ部には、ＰＩＤ（Packet ID）と呼ばれる識別符号が記載されている。このＰＩＤを識別することによって、番組が多重化されたＴＳデータを用いた場合においても特定の番組データを識別することが可能となる。
【０００４】
このようなテレビ放送のデジタル放送化に伴い、ＴＳデータをそのままハードディスク等の記録媒体に記録するためのレコーダーが商品化されている。これらのレコーダーでは、デジタル放送等から得られるＴＳデータを記録媒体に記録することで、高画質な番組をそのまま保存することができる。
【０００５】
ここで、ＴＳデータを用いて構成された番組データを再生する方法について説明する。まず、ＴＳデータからＰＩＤ＝０で定義されているＰＡＴ（Program Association Table）パケットを取得する。そして、このＰＡＴパケットに記載されているＰＭＴ（Program Map Table）パケットに関するＰＩＤを取得する。次に、取得したＰＭＴパケットに関するＰＩＤに基づいて、このＰＭＴパケットを取得する。
【０００６】
ＰＭＴパケットには、再生に必要となる制御情報や映像データ、音声データ等を含むＴＳパケットのＰＩＤが記載されており、このＰＩＤに基づいて映像データや音声データが取得されて再生が行われる。すなわち、ＴＳデータを再生するためには、初めにＰＡＴパケットおよびＰＭＴパケットを取得することが必要となる。
【０００７】
ところが、これらＰＡＴパケットおよびＰＭＴパケットは、ＴＳデータ中のある一定のタイミングで挿入されているパケットである。このため、ＴＳデータの再生時には、ＰＡＴパケットおよびＰＭＴパケットを得るまでに取得されたＴＳパケットは破棄されてしまう。従って、この場合には再生開始位置から必ずしも正確な再生が行われるとは限らないこととなる。
【０００８】
そこで、特許文献１では、ネットワークを介して得られたＴＳデータを先頭から再生する際に先頭部分のＴＳパケットを破棄することなく再生するために、ネットワークから得られたＴＳデータのＰＡＴパケットおよびＰＭＴパケットをＴＳデータの先頭に配置して記録媒体に記録することが提案されている。
【特許文献１】特開２００５−４５３６６号公報（平成１７年(2005)２月１７日公開）
【発明の開示】
【発明が解決しようとする課題】
【０００９】
しかしながら、記録媒体に記録されたコンテンツに対してシーン消去やシーン結合等の編集を行う場合には、コンテンツに不連続点が発生する。すなわち、ＴＳデータを消去または結合することによってＴＳデータに不連続点が発生する。不連続点にてＴＳパケットのＰＩＤ構成が変更になった場合、この不連続点からＰＡＴパケットおよびＰＭＴパケットが得られるまでにおける映像データおよび音声データ等のＴＳパケットは破棄されてしまう。
【００１０】
このため、不連続点を再生する際に、ノイズが発生したり、ＰＭＴパケットに記載されている情報によって行う制御（コピー制御等）を高精度に行うことができなくなったりしてしまう。従って、不連続点での正確な再生を行うことができないという問題が発生する。
【００１１】
また、チャプター設定位置から再生する場合のように、ユーザーが任意の位置から再生しようとする場合においても、ユーザーが設定した再生開始位置からＰＡＴパケットおよびＰＭＴパケットを取得するまでのＴＳパケットは破棄されてしまう。このため、ユーザーが設定した再生開始位置から正確な再生を行うことができないという問題が発生する。
【００１２】
本発明は、上記の問題点に鑑みてなされたものであり、その目的は、ＴＳデータの正確な再生を可能とする情報処理装置、情報処理方法、プログラム、および、そのプログラムを記録した記録媒体を実現することにある。
【課題を解決するための手段】
【００１３】
本発明に係る情報処理装置は、上記課題を解決するために、番組情報の編集処理を行う情報処理装置であって、上記番組情報は、映像情報および音声情報と、該映像情報および音声情報を識別する識別情報とを含んでおり、上記識別情報に対応付けられた映像情報および音声情報が再生されるよりも先に当該識別情報が読み出されるように編集処理を行う編集処理手段を備えていることを特徴としている。
【００１４】
また、本発明に係る情報処理方法は、上記課題を解決するために、番組情報の編集処理を行う情報処理方法であって、上記番組情報は、映像情報および音声情報と、該映像情報および音声情報を識別する識別情報とを含んでおり、上記識別情報に対応付けられた映像情報および音声情報が再生されるよりも先に当該識別情報が読み出されるように編集処理を行うことを特徴としている。
【００１５】
上記の構成によれば、情報処理装置は、番組情報の編集処理を行うものである。この番組情報とは、映像情報や音声情報、識別情報を含んでいる。識別情報は、映像情報および音声情報を識別する情報であり、これら映像情報および音声情報と識別情報とは互いに対応付けられている。従って、番組情報の再生は、この識別情報を再生し、対応する映像情報および音声情報を再生することによって行われる。
【００１６】
また、情報処理装置は、編集処理手段を備えている。編集処理手段とは、番組情報の編集処理を行うものである。番組情報の編集としては、例えば、番組の一部分を消去する編集や、消去した部分を結合する編集等を挙げることができる。編集処理が番組の一部分を消去したり結合したりする場合には、その消去・結合部分の前後で映像情報や音声情報の識別符号が異なる場合があり、この場合には正確な再生を行うことができない。
【００１７】
これに対して、上記編集処理手段は、識別情報に対応付けられた映像情報および音声情報が再生されるよりも先に当該識別情報が読み出されるように編集処理を行うようになっている。すなわち、映像情報や音声情報が再生されるよりも必ず先に対応する識別情報が読み出されるので、編集処理後の番組情報を正確に再生することが可能になる。
【００１８】
本発明に係る情報処理装置では、上記編集処理が複数の番組情報の結合処理を含む場合に、上記編集処理手段は、上記番組情報の結合部分に識別情報を配置することが好ましい。上記の構成によれば、消去や結合処理を行う場合であっても、結合部分における番組情報の再生を良好に行うことが可能となり、編集処理後の番組情報を正確に再生することができる。なお、複数の番組情報とは、元々異なる複数の番組情報のみならず、１つの番組情報の一部を消去して複数の番組情報に分割したものも含む。
【００１９】
本発明に係る情報処理装置では、上記編集処理手段は、映像情報および音声情報に対応付けられた識別情報を検索する検索手段を備えていることが好ましい。上記の構成によれば、編集処理手段は、編集処理を行う際に、映像情報および音声情報に対応付けられた識別情報を検索し取得することができる。
【００２０】
本発明に係る情報処理装置では、上記編集処理手段は、識別情報を、対応する映像情報および音声情報よりも先に再生される位置に配置する配置手段を備えていることが好ましい。上記の構成によれば、識別情報を適切な位置に配置することが可能になる。
【００２１】
本発明に係る情報処理装置は、上記課題を解決するために、番組情報の再生処理を行う情報処理装置であって、上記番組情報は、映像情報および音声情報と、該映像情報および音声情報を識別する識別情報とを含んでおり、上記識別情報に対応付けられた映像情報および音声情報が再生されるよりも先に当該識別情報が読み出されるように再生処理を行う再生処理手段を備えていることを特徴としている。
【００２２】
また、本発明に係る情報処理方法は、上記課題を解決するために、番組情報の再生処理を行う情報処理方法であって、上記番組情報は、映像情報および音声情報と、該映像情報および音声情報を識別する識別情報とを含んでおり、上記識別情報に対応付けられた映像情報および音声情報が再生されるよりも先に当該識別情報が読み出されるように再生処理を行うことを特徴としている。
【００２３】
上記の構成によれば、情報処理装置は、番組情報の再生処理を行うものである。この番組情報とは、映像情報や音声情報、識別情報を含んでいる。識別情報は、映像情報および音声情報を識別する情報であり、これら映像情報および音声情報と識別情報とは互いに対応付けられている。従って、番組情報の再生は、この識別情報を再生し、対応する映像情報および音声情報を再生することによって行われる。
【００２４】
また、情報処理装置は、再生処理手段を備えている。再生処理手段とは、番組情報の再生処理を行うものである。また、再生処理手段は、識別情報に対応付けられた映像情報および音声情報が再生されるよりも先に当該識別情報が読み出されるように再生処理を行うようになっている。すなわち、映像情報や音声情報が再生されるよりも必ず先に対応する識別情報が読み出されるので、番組情報のどのような位置から再生を開始した場合であっても常に正確な再生を実現することができる。
【００２５】
本発明に係る情報処理装置では、上記番組情報を一時的に記録するバッファを備えており、上記再生処理手段は、番組情報をバッファに記録する際に再生処理を行うことが好ましい。上記の構成によれば、再生処理を容易に行うことが可能になると共に、正確な再生を行うことができる。
【００２６】
本発明に係る情報処理装置では、上記再生処理手段は、バッファに記録された番組情報の先頭部分に識別情報を配置することが好ましい。上記の構成によれば、再生不良となる映像情報および音声情報の発生を防止し、全ての映像情報および音声情報を正確に再生することが可能となる。
【００２７】
本発明に係る情報処理装置では、上記再生処理手段は、映像情報および音声情報に対応付けられた識別情報を検索する検索手段を備えていることが好ましい。上記の構成によれば、再生処理手段は、再生処理を行う際に、映像情報および音声情報に対応付けられた識別情報を検索し取得することができる。
【００２８】
本発明に係る情報処理装置では、上記再生処理手段は、識別情報を、対応する映像情報および音声情報よりも先に再生される位置に配置する配置手段を備えていることが好ましい。上記の構成によれば、識別情報を適切な位置に配置することが可能になる。
【００２９】
なお、上記情報処理装置は、コンピュータによって実現してもよく、この場合には、コンピュータを上記各手段として動作させることにより上記情報処理装置をコンピュータにて実現させる情報処理装置の情報処理プログラム、およびそれを記録したコンピュータ読み取り可能な記録媒体も、本発明の範疇に入る。
【発明の効果】
【００３０】
本発明に係る情報処理装置は、以上のように、番組情報の編集処理を行う情報処理装置であって、上記番組情報は、映像情報および音声情報と、該映像情報および音声情報を識別する識別情報とを含んでおり、上記識別情報に対応付けられた映像情報および音声情報が再生されるよりも先に当該識別情報が読み出されるように編集処理を行う編集処理手段を備えている。また、本発明に係る情報処理装置は、以上のように、番組情報の再生処理を行う情報処理装置であって、上記番組情報は、映像情報および音声情報と、該映像情報および音声情報を識別する識別情報とを含んでおり、上記識別情報に対応付けられた映像情報および音声情報が再生されるよりも先に当該識別情報が読み出されるように再生処理を行う再生処理手段を備えている。このため、番組情報を正確に再生することができるという効果を奏する。
【発明を実施するための最良の形態】
【００３１】
〔実施の形態１〕
本発明の第１の実施の形態について図１ないし図４に基づいて説明すると以下の通りである。
【００３２】
図２は、本実施の形態に係るデータ処理装置（情報処理装置）１の概略構成を示す図である。データ処理装置１は、テレビ放送や外部からの入力によって与えられたＴＳ（Transport stream）データ（番組情報）を記録、再生、および編集する装置である。ＴＳデータとは、ＭＰＥＧ２−ＴＳ形式によって作成された映像データ（映像情報）および音声データ（音声情報）を含むものであり、ＴＳパケットに基づいて作成される。ＴＳパケットとは、映像データや音声データの情報を含む１８８バイトの固定長のパケットである。
【００３３】
図２に示すように、データ処理装置１は、記録装置２、バッファ３、ＴＳ処理装置４、制御部５、バス６を備えている。
【００３４】
制御部５は、バス６を使用して、データ処理装置１の各部材の各種制御を行うものである。すなわち、例えば記憶装置２にプログラムが記憶されており、制御部５は、このプログラムをＲＡＭ（不図示）に読み出し、読み出されたこのプログラムを実行することによって各種制御を実現する。
【００３５】
ここで、本実施の形態に係る制御を実現する機能を説明するブロック図を図１に示す。すなわち、図１は、本実施の形態に係るデータ処理装置１の概略構成を示す機能ブロック図である。図１に示すように、データ処理装置１は、入力部７、記録装置２、バッファ３、ＴＳ処理装置４、出力部８、制御部５を備えている。
【００３６】
入力部７は、データ処理装置１の外部から送信されたＴＳデータを入力するものである。入力部７に入力されたＴＳデータは、記録装置２に送信される。
【００３７】
記録装置２は、ＴＳデータを記録することが可能な記録媒体である。また、記録装置２は、ＴＳデータの書き込み、読み出しおよび消去等が可能な記録媒体である。このような記録媒体としては、ハードディスクドライブや、Blu-ray Disc等のリムーバブル記録媒体等が利用可能である。この記録装置２は、入力部７から送信されたＴＳデータを記録するようになっている。なお、記録装置２には、制御部５が実行するプログラムが記録されていてもよい。この場合のプログラムとは、例えばＴＳデータの編集処理に関するプログラムやＴＳデータの再生処理に関するプログラムである。
【００３８】
バッファ３は、記録装置２に記録されたＴＳデータを再生する場合に、再生用のＴＳデータをＴＳ処理装置４に送信する前に一時的に記録しておくためのバッファである。すなわち、ＴＳデータの再生の際には、記録装置２に記録されたＴＳデータがバッファ３に送信され、バッファ３にて一時的に記録された後に、ＴＳ処理装置４に送信されるようになっている。
【００３９】
ＴＳ処理装置４は、バッファ３から送信されたＴＳデータの中から、再生に必要な制御情報、映像データおよび音声データを取得する処理を行う装置である。この制御情報とは、映像データや音声データのＰＩＤ、コピー制御情報等の情報である。
【００４０】
すなわち、ＴＳ処理装置４は、ＴＳデータの中から必要なＴＳパケットを取得し、このＴＳパケットから制御情報や、映像に関連するデータおよび音声に関連するデータを取り出す。そして、ＴＳ処理装置４は、これらのデータに対してデコード等の処理を行うことによって映像データおよび音声データを取得するようになっている。取得された映像データおよび音声データは、出力部８に送信される。
【００４１】
出力部８は、ＴＳ処理装置４にて取得・出力された映像データおよび音声データをデータ処理装置１の外部に出力するものである。すなわち、上記各データは、例えば、表示装置（不図示）または表示制御装置等（不図示）に出力される。これにより、ＴＳデータの再生を行うことができる。
【００４２】
制御部５は、入力部７、記録装置２、バッファ３、ＴＳ処理装置４、出力部８といったデータ処理装置１の各部材の制御を行うものである。制御部５としては、例えばＣＰＵを用いることができる。また、制御部５は、記録装置２に記録されているプログラムを実行することもある。このため、図２に示すように、制御部５は、記録装置２、バッファ３やＴＳ処理装置４等とバス６を介して接続されている。
【００４３】
制御部５は、編集処理部（編集処理手段）９を備えている。編集処理部９は、記録装置２に記録されているＴＳデータの編集処理を行う際に、その編集処理を制御するものである。すなわち、ＴＳデータの編集処理は、記録装置２に記録されたＴＳデータに対して、編集処理部９の処理命令に従って実行される。
【００４４】
このようなＴＳデータの編集処理としては、例えば、シーン消去、シーン結合、タイトル結合およびプレイリスト編集等が含まれる。編集処理部９は、このような種々の編集処理の実行を制御するものであればよいが、本実施の形態では、編集処理としてシーン消去およびシーン結合を行う場合を例に挙げて、この編集処理を制御するための編集処理部９について説明する。
【００４５】
本実施の形態に係る編集処理部９は、データ取得部１０、パケット削除部１１、パケット検索部（検索手段）１２、パケット配置部（配置手段）１３を備えている。
【００４６】
データ取得部１０は、編集処理に必要なデータを取得するものである。取得するデータとしては、例えば、編集するＴＳデータや、ＴＳデータ内の消去開始点および消去終了点に関するデータ等である。
【００４７】
なお、ＴＳデータには、複数のＴＳパケットが含まれており、これら複数のＴＳパケットのうち、いくつかのパケットは、ＰＡＴパケット（識別情報）およびＰＭＴパケット（識別情報）と呼ばれるパケットとなっている。
【００４８】
このＰＡＴパケットとは、番組番号とその番組に対応するＰＭＴパケットといったトランスポートストリームのＰＩＤを示すテーブルである。また、ＰＭＴパケットとは、番組番号毎の映像、音声、付加データ等のＴＳパケットのＰＩＤを示すテーブルである。ＰＩＤとは、ＴＳパケットを識別する識別符号である。
【００４９】
すなわち、ＰＡＴパケットには番組番号に対応したＰＭＴパケットのＰＩＤが記述されており、ＰＭＴパケットには対応する番組に含まれる映像、音声、付加データ等のＰＩＤが記述されている。従って、ＰＡＴパケットとＰＭＴパケットとを参照することによってＴＳデータの中から目的の番組を構成するＴＳパケットを取得することが可能になっている。
【００５０】
従って、上記のＴＳデータ内の消去開始点および消去終了点に関するデータとは、ＴＳデータの消去を開始するＴＳパケットと消去を終了するＴＳパケットに関するデータのことである。データ取得部１０は、これらのデータをパケット削除部１１に送信する。
【００５１】
パケット削除部１１は、データ取得部１０から受信した各データに基づいて所定のＴＳパケットを削除するものである。つまり、パケット削除部１１は、編集処理を行うＴＳパケットのうち、シーン消去の開始点からシーン消去の終了点までのＴＳパケットを削除する。
【００５２】
パケット検索部１２は、シーン消去のために削除するＴＳパケットの中から、削除終了点の次の記録領域に配置されているＴＳパケットに対応付けられたＰＡＴパケットを検索するものである。パケット検索部１２は、目的とするＰＡＴパケットを検索すると、この検索したＰＡＴパケットに対応付けられたＰＭＴパケットを検索する。
【００５３】
パケット配置部１３は、パケット検索部１２によって検索されたＰＡＴパケットおよびＰＭＴパケットをバッファの所定の位置（記録領域）に配置するものである。具体的には、パケット配置部１３は、パケット検索部１２によって検索されたＰＡＴパケットを削除開始点に相当する位置に配置し、パケット検索部１２によって検索されたＰＭＴパケットを、このＰＡＴパケットの次の位置に配置する。そして、パケット配置部１３は、ＰＡＴパケットおよびＰＭＴパケットを配置した後に、削除終了点以降のＴＳパケットを、ＰＭＴパケットの次の位置から順次配置するようになっている。
【００５４】
これにより、ＴＳデータが編集処理される。なお、これら編集処理部９におけるＴＳパケットの削除、ＰＡＴパケットおよびＰＭＴパケットの検索・配置の詳細については後述する。
【００５５】
また、図１に示す機能ブロック図は、データ処理のフローを示すものであり、ＴＳデータの直接の流れを示すものではない。制御部５は、プログラムを実行することによって、記録装置２に記録されたＴＳデータを編集しながら記録装置２からバッファ３へ送信するように制御している。すなわち、ＴＳデータは、記録装置２から制御部５を介してバッファ３へ送信されるのではなく、記録装置２からバッファ３に送信されるようになっている。
【００５６】
上記構成を有するデータ処理装置１が行うＴＳデータの編集処理方法について図３および図４を用いて説明する。図３は、ＴＳデータの編集処理方法を示す概念図である。また、図４は、ＴＳデータの編集処理方法を説明するフローチャートである。
【００５７】
図３（ａ）〜（ｃ）は、ＴＳデータに対して、あるシーンに相当するデータを消去する編集処理の流れの一例を示す図である。図３に示すように、ＴＳデータには、複数のＴＳパケットが含まれている。これら複数のＴＳパケットのうち、いくつかのパケットは、ＰＡＴパケットまたはＰＭＴパケットである。
【００５８】
ここで、ＴＳデータの一般的な再生方法について説明する。ＴＳデータの再生（映像および音声データの出力）は、記録装置２に記録されたＴＳデータを一時的にバッファ３に読み込んだ後に、バッファ３よりＴＳ処理装置４へＴＳデータを送り込み、ＴＳ処理装置４内でＴＳデータの処理を行うことによって実現される。具体的に、図３（ａ）に示すＴＳデータでは、データ開始点のＴＳパケットから順に（図に示す上のＴＳパケットから下のＴＳパケットの順に）ＴＳパケットの情報を読み取ることによって再生が行われる。
【００５９】
従って、上述のように、ＴＳデータを再生する際にはＰＡＴパケットおよびＰＭＴパケットを取得し、このＰＡＴパケットおよびＰＭＴパケットに対応付けられたＴＳパケットの情報が再生されることとなる。
【００６０】
図３（ａ）に示すＴＳデータでは、ＰＡＴ１１およびＰＭＴ１１と記載されたＰＡＴパケットおよびＰＭＴパケットが、ＴＳＰ１１と記載されたＴＳパケット群に対応付けられている。また、ＰＡＴ１２およびＰＭＴ１２と記載されたＰＡＴパケットおよびＰＭＴパケットが、ＴＳＰ１２と記載されたＴＳパケット群と対応付けられており、以下同様の対応付けがなされている。
【００６１】
従って、通常の再生では、データ開始点のＴＳパケットから順に読み取っていくと、ＴＳＰ１１、ＴＳＰ１２、…といった情報を順に再生することが可能となる。しかし、ＴＳＰ１１とＴＳＰ１２のＰＩＤ構成が変更されている場合には、ＴＳパケットの削除によって、ＰＡＴ１２およびＰＭＴ１２が削除されてしまうと、次のＰＡＴパケットおよびＰＭＴパケットが取得されるまでのＴＳパケットの情報を再生することができなくなる。
【００６２】
本実施の形態は、シーン消去およびシーン結合（すなわち、ＴＳパケットの削除および配置）の編集処理に関するものであり、このようなＴＳパケットの削除を伴う編集処理を行った場合であっても、正確な再生を可能とするものである。
【００６３】
そこで、本実施の形態の編集処理の方法について具体的に説明する。図３および図４に示すように、まず、編集処理部９にＴＳデータの編集を開始する旨の指示が入力されると（Ｓ１１）、データ取得部１０はＴＳデータの削除開始点および削除終了点に関するデータを取得する（Ｓ１２）。つまり、データ取得部１０は、削除開始点および削除終了点に関するデータに基づいてＴＳデータを構成するＴＳパケットのうち、削除を開始するＴＳパケットと削除を終了するＴＳパケットとを決定する。これら削除開始点から削除終了点までのＴＳパケットは、削除するシーンのＴＳパケットに対応するものである。
【００６４】
そして、パケット削除部１１は、決定した削除開始点から削除終了点までの領域にあるＴＳパケットを削除する（Ｓ１３）。
【００６５】
パケット検索部１２は、ＴＳパケットの削除に伴い、削除するＴＳパケットの中から、削除終了点の次の領域に配置されているＴＳパケットに対応付けられたＰＡＴパケットを検索する。本実施の形態では、パケット検索部１２は、削除終了点の前のＴＳパケットから遡って、各ＴＳパケットがＰＡＴパケットであるか否かを順次判定する（Ｓ１４）。
【００６６】
この判定はＴＳパケットのＰＩＤに基づいて行われ、判定したＴＳパケットがＰＡＴパケットでない場合には、さらに前のＴＳパケットに対してＰＡＴパケットであるか否かの判定が行われる。すなわち、図３の場合には、削除終了点から削除開始点方向に向かって、順次ＴＳパケットがＰＡＴ１２のＰＡＴパケットであるか否かが判定される。
【００６７】
判定したＴＳパケットが、削除終了点の次の領域に配置されているＴＳパケットに対応付けられたＰＡＴパケットである場合には、該当するＰＡＴパケットが検索されたとして、ＰＡＴパケットの検索は終了となる。
【００６８】
そして、パケット配置部１３は、検索されたＰＡＴパケットをバッファ３の所定の位置に配置・記録する（Ｓ１５）。具体的には、パケット配置部１３は、検索されたＰＡＴパケットを、削除開始点の次の記録領域に配置・記録する（図３（ｂ）参照）。
【００６９】
また、パケット検索部１２は、検索されたＰＡＴパケットに記述されている情報を基にして、このＰＡＴパケットに対応付けられたＰＭＴパケットを検索する。すなわち、ＰＡＴパケットより得られたＰＭＴパケットのＰＩＤと一致するＰＭＴパケットを検索する。そして、パケット配置部１３が、検索されたＰＭＴパケットをＳ１５にて配置したＰＡＴパケットの次の記録領域に配置・記録する（Ｓ１６；図３（ｂ）参照）。
【００７０】
次いで、パケット配置部１３は、削除終了点以降のＴＳパケットを、上記Ｓ５およびＳ６にて配置したＰＡＴパケットおよびＰＭＴパケットの後の記録領域に順次配置・記録する（Ｓ１７）。これにより、シーン消去によって２つに分けられたＴＳデータは、その結合点にＰＡＴパケットおよびＰＭＴパケットが配置した状態で結合される（図３（ｃ）参照）。
【００７１】
すなわち、制御部５の制御によって、記録装置２に記録されたＴＳデータの各パケットを所定の位置に配置した状態でバッファ３に記録することが可能になる。従って、ＴＳパケットを削除する編集処理を行い、結合点の前後においてＴＳデータのＰＩＤ構成が変更されている場合であっても、いち早くＰＡＴパケットおよびＰＭＴパケットを取得する（読み出す）ことができる。このため、従来生じていたＰＡＴパケットおよびＰＭＴパケットが取得されるまでのＴＳパケットの破棄が生じることなく、編集処理後のＴＳデータについて正確な再生を行うことができる。
【００７２】
なお、上記ＴＳデータの編集処理は、ＴＳデータが記録された記録装置２とＴＳデータの編集制御を行う制御部５のみで実現することが可能である。このため、入力部７、バッファ３、ＴＳ処理装置４や出力部８が同一装置内（データ処理装置１内）に実装されておらず、外部に存在する場合においても、上記と同様にしてＰＡＴパケットおよびＰＭＴパケットの配置制御を行ったＴＳデータを作成することができる。また、このＴＳデータを外部のＴＳ処理装置で処理することによって正確な再生を実現することが可能になる。
【００７３】
また、本実施の形態では、シーン消去およびシーン結合について説明をしたが、本発明はこれに限定されるものではなく、ＴＳデータの結合処理が発生するあらゆる編集等の処理において実現可能である。すなわち、結合点（消去点）以降のＴＳパケットに対応付けられたＰＡＴパケットおよびＰＭＴパケットを取得して、これらを結合点に配置すればよい。
【００７４】
また、本実施の形態では、再生時における編集処理について説明したが、編集処理したＴＳデータを記録装置に記録する構成としてもよい。すなわち、記録装置２に記録されたＴＳデータを上記の方法を用いて編集してバッファ３に一時的に記録させ、編集後のＴＳデータを再び記録装置２に記録してもよい。この場合においても、記録装置２に記録された編集後のＴＳデータの再生を正確に実行することが可能になる。
【００７５】
なお、編集処理後に記録装置へ再記録する構成の場合、同一の記録装置に記録してもよく、異なる記録装置に記録してもよい。同一の記録装置に記録する場合には、例えば、ＨＤＤに記録されたＴＳデータを編集し、再びＨＤＤに記録する構成を挙げることができる。また、複数の記録装置に記録する場合には、複数の記録装置を備えた構成とすればよく、例えば、ＨＤＤおよびBlu-ray Disc間において相互に記録する構成を挙げることができる。
【００７６】
〔実施の形態２〕
本発明の第２の実施の形態について図５ないし図８に基づいて説明する。なお、説明の便宜上、実施の形態１に記載した各部材と同様の機能を有する部材については、実施の形態１と同じ符号を用い、その説明を省略する。本実施の形態では、ＴＳデータの特定位置から再生する場合の処理について説明する。
【００７７】
図６は、本実施の形態に係るデータ処理装置（情報処理装置）２１の概略構成を示す図である。本実施の形態においても、データ処理装置２１は、記録装置２、バッファ３、ＴＳ処理装置４、制御部２２、バス６を備えている。
【００７８】
制御部２２は、バス６を使用して、データ処理装置２１の各部材の各種制御を行うものである。すなわち、例えば記憶装置２にプログラムが記憶されており、制御部２２は、このプログラムをＲＡＭ（不図示）に読み出し、読み出されたこのプログラムを実行することによって各種制御を実現する。
【００７９】
ここで、本実施の形態に係る制御を実現する機能を説明するブロック図を図５に示す。すなわち、図５は、本実施の形態に係るデータ処理装置２１の概略構成を示す機能ブロック図である。図５に示すように、データ処理装置２１は、入力部７、記録装置２、バッファ３、ＴＳ処理装置４、出力部８、制御部２２を備えている。
【００８０】
制御部２２は、入力部７、記録装置２、バッファ３、ＴＳ処理装置４、出力部９といったデータ処理装置２１の各部材の制御を行うものである。制御部２２としては、例えばＣＰＵを用いることができる。また、制御部２２は、記録装置２に記録されているプログラムを実行することもある。このため、図６に示すように、制御部２２は、記録装置２、バッファ３やＴＳ処理装置４等とバス６を介して接続されている。
【００８１】
制御部２２は、再生処理部（再生処理手段）２３を備えている。再生処理部２３は、記録装置２に記録されているＴＳデータの再生処理を行う際に、その再生処理を制御するものである。すなわち、ＴＳデータの再生処理は、記録装置２に記録されたＴＳデータに対して、再生処理部２３の処理命令に従って実行される。
【００８２】
本実施の形態では、主としてデータ開始点以外の特定位置から再生を開始する場合の処理について説明する。再生処理部２３は、データ取得部２４、パケット検索部（検索手段）２５、パケット配置部（配置手段）２６を備えている。
【００８３】
データ取得部２４は、再生処理に必要なデータを取得するものである。取得するデータとしては、例えば、再生するＴＳデータや、ＴＳデータ内の再生開始点に関するデータ等である。すなわち、ＴＳデータ内の再生開始点に関するデータとは、再生を開始するＴＳパケットに関するデータのことである。データ取得部２４は、これらのデータをパケット検索部２５に送信する。
【００８４】
パケット検索部２５は、再生開始点に配置されているＴＳパケットに対応付けられたＰＡＴパケット（識別情報）を検索するものである。また、パケット検索部は、目的とするＰＡＴパケットを検索すると、このＰＡＴパケットに対応付けられたＰＭＴパケット（識別情報）を検索する。
【００８５】
パケット配置部２６は、パケット検索部２５によって検索されたＰＡＴパケットおよびＰＭＴパケットや、他のＴＳパケットをバッファの所定の位置（記録領域）に配置するものである。具体的には、パケット配置部２６は、再生開始点から次のＰＡＴパケットまでのＴＳパケットをバッファの所定の位置に配置し、このＴＳパケットに対応付けられたＰＡＴパケットおよびＰＭＴパケットを再生開始点のＴＳパケットの位置に配置する。次いで、パケット配置部２６は、再生開始点以降の残りのＴＳパケットを順次配置するようになっている。
【００８６】
これにより、特定位置から再生可能なＴＳデータが作成される。なお、これら再生処理部２３におけるＴＳパケットの配置の詳細については後述する。
【００８７】
また、図５に示す機能ブロック図においても、データ処理のフローを示すものであり、ＴＳデータの直接の流れを示すものではない。制御部２２は、プログラムを実行することによって、記録装置２に記録されたＴＳパケットの配置を変更しながら記録装置２からバッファ３へ送信するように制御している。すなわち、ＴＳデータは、記録装置２から制御部２２を介してバッファ３へ送信されるのではなく、記録装置２からバッファ３に送信されるようになっている。
【００８８】
上記構成を有するデータ処理装置２１が行うＴＳデータの再生処理方法について図７および図８を用いて説明する。図７は、ＴＳデータの再生処理方法を示す概念図である。また、図８は、ＴＳデータの再生処理方法を説明するフローチャートである。
【００８９】
図７（ａ）（ｂ）は、ＴＳデータの特定位置から再生を開始する場合の処理の流れの一例を示す図である。図７は、記録装置２に記録されたＴＳデータを再生開始点から再生するために、バッファ３に一時的にＴＳデータを読み込む際における読み込み方法の一例を示している。
【００９０】
図７に示すＴＳデータにおいても、複数のＴＳパケットが含まれており、いくつかのパケットはＰＡＴパケットまたはＰＭＴパケットである。また、ＰＡＴ２１およびＰＭＴ２１と記載されたＰＡＴパケットおよびＰＭＴパケットが、ＴＳＰ２１と記載されたＴＳパケット群に対応付けられており、ＰＡＴ２２およびＰＭＴ２２と記載されたＰＡＴパケットおよびＰＭＴパケットが、ＴＳＰ２２と記載されたＴＳパケット群と対応付けられている。そして、以下同様の対応付けがなされている。
【００９１】
ここで、再生処理の方法について具体的に説明する。図７および図８に示すように、まず、再生処理部２３にＴＳデータの再生を開始する旨の指示が入力されると（Ｓ２１）、データ取得部２４はＴＳデータの再生開始点に関するデータを取得する（Ｓ２２）。つまり、データ取得部２４は、再生開始点に関するデータに基づいて再生を開始するＴＳパケットを決定する。
【００９２】
そして、パケット配置部２６が、再生開始点のＴＳパケットより後のＴＳパケットを順次バッファ３に配置・記録する（Ｓ２３）。本実施の形態では、まず、再生開始点のＴＳパケットから次のＰＡＴパケットまでのＴＳパケットを配置している（図７（ａ）参照）。ただし、これに限定されることはなく、再生開始点以降のＴＳパケットを一括してバッファ３に配置・記録してもよい。
【００９３】
なお、ＴＳパケットの配置・記録は、再生開始点のＴＳパケットの前にＴＳパケット２個分の記録領域を空けて行われる。すなわち、バッファ３内の記録開始位置から２つのＴＳパケット（１８８×２バイト）分の記録領域を空けた位置から再生開始点のＴＳパケットを記録していく。
【００９４】
次いで、パケット検索部２５は、再生開始点のＴＳパケットに対応付けられたＰＡＴパケットを検索する。本実施の形態では、パケット検索部２５は、再生開始点のＴＳパケットから遡って、各ＴＳパケットがＰＡＴパケットであるか否かを順次判定する（Ｓ２４）。
【００９５】
この判定はＴＳパケットのＰＩＤに基づいて行われ、判定したＴＳパケットがＰＡＴパケットでない場合には、さらに前のＴＳパケットに対してＰＡＴパケットであるか否かの判定が行われる。すなわち、図７の場合には、再生開始点からデータの上流側に向かって、順次ＴＳパケットがＰＡＴ２１のＰＡＴパケットであるか否かが判定される。
【００９６】
判定したＴＳパケットが、再生開始点のＴＳパケットに対応付けられたＰＡＴパケットである場合には、該当するＰＡＴパケットが検索されたとして、ＰＡＴパケットの検索は終了となる。
【００９７】
そして、パケット配置部２６は、検索されたＰＡＴパケットをバッファ３の所定の位置に配置・記録する（Ｓ２５）。具体的には、パケット配置部２６は、検索されたＰＡＴパケットを、バッファ３の記録開始位置（ＴＳデータの先頭）に配置する（図７（ｂ）参照）。
【００９８】
また、パケット検索部２５は、検索されたＰＡＴパケットに記述されている情報を基にして、このＰＡＴパケットに対応付けられたＰＭＴパケットを検索する。すなわち、ＰＡＴパケットより得られたＰＭＴパケットのＰＩＤと一致するＰＭＴパケットを検索する。そして、パケット配置部２５が、検索されたＰＭＴパケットをＳ２５にて配置したＰＡＴパケットの次の記録領域に配置・記録する（Ｓ２６；図７（ｂ）参照）。
【００９９】
次いで、パケット配置部２６は、ＰＡＴ２２以降のＴＳパケットを、上記Ｓ２３、Ｓ２５およびＳ２６にて配置したＴＳパケットの後の記録領域に順次配置・記録する（Ｓ２７）。これにより、特定位置から再生可能なＴＳデータとなる。
【０１００】
なお、制御部２２は、再生開始点のＴＳパケットに対応付けられたＰＡＴパケットおよびＰＭＴパケットがバッファ３のＴＳデータの先頭に記録された時点で、ＴＳパケットを順番にＴＳ処理装置４に送信する。そして、その後は、記録装置２からバッファ３へのＴＳパケットの送信と、バッファ３からＴＳ処理装置４へのＴＳパケットの送信とを同時に行う。これにより、ＴＳデータを再生することができる。
【０１０１】
ただし、記録装置２からバッファ３へのＴＳパケットの送信と、バッファ３からＴＳ処理装置４へのＴＳパケットの送信のタイミングは同時であることに限定されず、どのようなタイミングであってもよい。
【０１０２】
一般にＴＳデータの特定位置から再生する際には、常に同じ位置からの再生が行われるわけではないため、必ずしも再生開始位置にＰＡＴパケットおよびＰＭＴパケットが存在するとは限らない。また、記録装置２に記録されているＴＳデータに対して、再生を行う毎に再生開始位置にＰＡＴパケットおよびＰＭＴパケットを配置することは不可能である。そこで、バッファ３を設けて、記録媒体２に記録されているＴＳデータを一時的にバッファ３に記録する際に、ＰＡＴパケットおよびＰＭＴパケットの配置制御を行うこととしている。
【０１０３】
具体的には、バッファ３に記録されたＴＳデータの先頭にＰＡＴパケットおよびＰＭＴパケットを配置しており、これにより、ＴＳデータの再生の際にはＰＡＴパケットおよびＰＭＴパケットを最初に処理する（読み出す）ことができることとなる。このように、制御部２２の制御によって、記録装置２に記録されたＴＳデータの各パケットを所定の位置に配置した状態でバッファ３に記録することによって、ＴＳデータの特定位置からであっても再生開始位置から正確な再生を行うことが可能になる。
【０１０４】
なお、上記ＴＳデータの再生処理においても、実施の形態１と同様に、ＴＳデータが記録された記録装置２とＴＳデータの再生制御を行う制御部２２のみで実現することが可能である。このため、入力部７、バッファ３、ＴＳ処理装置４や出力部８が同一装置内（データ処理装置２１内）に実装されておらず、外部に存在する場合においても、上記と同様にしてＰＡＴパケットおよびＰＭＴパケットの配置制御を行ったＴＳデータを作成することができる。また、このＴＳデータを外部のＴＳ処理装置で処理することによって正確な再生を実現することが可能になる。
【０１０５】
また、本実施の形態では、特定位置からの再生について説明したが、本発明はこれに限定されるものではなく、例えば、プレイリスト再生といった記録装置上でのＴＳパケットの配置や移動が困難な場合であっても、上記と同様にバッファを利用したＴＳパケットの配置制御を行うことによって正確な再生処理を実現できる。
【０１０６】
また、本実施の形態では、再生開始点のＴＳパケットをバッファ３に配置・記録し、その後、対応するＰＡＴパケットおよびＰＭＴパケットをバッファ３に配置・記録する構成について説明したが、これに限定されるものではない。例えば、制御部２２が、予め再生開始点のＴＳパケットに対応付けられたＰＡＴパケットおよびＰＭＴパケットを検索し、バッファ３の記録開始位置に配置・記録した後に、再生開始点以降のＴＳを順次バッファ３に配置・記録する構成としてもよい。
【０１０７】
また、上記実施の形態１および２では、ＰＡＴパケットおよびＰＭＴパケットの配置制御について説明しているが、本発明は、ＴＳデータの操作においてＮＩＴ等の他のＴＳパケットについての配置制御に応用することも可能である。
【０１０８】
なお、本発明の情報処理装置は、ＴＳデータの編集において、編集後のＴＳデータの再生や再生時の制御および情報表示が正確に行われるように編集時に特定のＴＳパケットの配置を変更するＴＳパケット配置手段が設けられているＴＳデータ処理装置とも表現できる。このＴＳデータ処理装置のＴＳパケット配置手段においては、ＴＳデータの結合が行われる場合、結合点に最適なＰＡＴパケットおよびＰＭＴパケットを配置してもよい。
【０１０９】
また、本発明の情報処理装置は、ＴＳデータの再生において、再生や再生時の制御および情報表示が正確に行われるように特定のＴＳパケットの配置を変更するＴＳパケット配置手段が設けられているＴＳデータ再生装置とも表現できる。
【０１１０】
このＴＳデータ再生装置のＴＳパケット配置手段は、記録装置より読み出したＴＳデータを一時的に記録するバッファを用意し、記録装置からバッファへのＴＳデータの記録時にＴＳパケットの配置の変更を行ってもよい。また、ＴＳデータ再生装置のＴＳパケット配置手段は、記録装置からバッファへのＴＳデータの一時的な記録に伴い、バッファ上のＴＳデータの先頭にＰＡＴパケットおよびＰＭＴパケットを配置してもよい。
【０１１１】
このような構成とすることで、編集によりＴＳデータ内でＰＩＤ構成が変更された場合においても、ＰＩＤ構成の変更点で正確な再生を行うことができる。また、特定位置からの再生においても決められた位置から正確に再生を再開することが可能となる。
【０１１２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１１３】
最後に、データ処理装置１・２１の各ブロック、特に制御部５・２２は、ハードウェアロジックによって構成してもよいし、次のようにＣＰＵを用いてソフトウェアによって実現してもよい。
【０１１４】
すなわち、データ処理装置１・２１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるデータ処理装置１・２１の制御プログラムのプログラムコード（実行形式プログラム、中間コードプログラム、ソースプログラム）をコンピュータで読み取り可能に記録した記録媒体を、上記データ処理装置に供給し、そのコンピュータ（またはＣＰＵやＭＰＵ）が記録媒体に記録されているプログラムコードを読み出し実行することによっても、達成可能である。
【０１１５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１６】
また、データ処理装置１・２１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１７】
本発明の情報処理装置は、番組放送等の情報の記録・再生・編集といった処理を行うものである。このため、ＨＤＤやBlu-ray Disc、ＤＶＤ等を備えた記録再生編集装置等に好適に用いることができる。
【図面の簡単な説明】
【０１１８】
【図１】本発明の実施の一形態を示すものであり、データ処理装置の概略構成を示す機能ブロック図である。
【図２】本発明の実施の一形態を示すものであり、データ処理装置の概略構成を示す図である。
【図３】本発明の実施の一形態を示すものであり、ＴＳデータの編集処理方法を示す概念図である。
【図４】本発明の実施の一形態を示すものであり、ＴＳデータの編集処理方法を説明するフローチャートである。
【図５】本発明の実施の他の形態を示すものであり、データ処理装置の概略構成を示す機能ブロック図である。
【図６】本発明の実施の他の形態を示すものであり、データ処理装置の概略構成を示す図である。
【図７】本発明の実施の他の形態を示すものであり、ＴＳデータの再生処理方法を示す概念図である。
【図８】本発明の実施の他の形態を示すものであり、ＴＳデータの再生処理方法を説明するフローチャートである。
【符号の説明】
【０１１９】
１・２１    データ処理装置（情報処理装置）
３    バッファ
５・２２    制御部
９    編集処理部（編集処理手段）
１０  データ取得部
１１  パケット削除部
１２  パケット検索部（検索手段）
１３  パケット配置部（配置手段）
２３  再生処理部（再生処理手段）
２４  データ取得部
２５  パケット検索部（検索手段）
２６  パケット配置部（配置手段）
【図１】
2007116213.tif 000003
【図２】
2007116213.tif 000004
【図３】
2007116213.tif 000005
【図４】
2007116213.tif 000006
【図５】
2007116213.tif 000007
【図６】
2007116213.tif 000008
【図７】
2007116213.tif 000009
【図８】
2007116213.tif 000010